(57)【要約】【課題】    隣接する健康な芝を傷ついたエリアに広げることが可能なボールマーク修復ツールを提供する。【解決手段】  この発明は、ハンドルの前方に広がる平らなハンドルおよびブレードを備えたボールマーク修復ツールであって、一形態では、各ブレードはハンドルのひらから９０度配向している、つまりブレードのひらとハンドルのひらは垂直になっている。他の形態では、該ブレードの厚さとハンドルの厚さが同じであり、少なくともブレード幅の２倍の間隔で離れている。【選択図】図４
2007313261.tif 000002
【特許請求の範囲】
【請求項１】
平坦ハンドルとそれぞれブレード軸上に該ハンドルの前方に広がる複数のブレードを有し、該ブレードはブレード・エッジを有し、該ブレード・エッジが該ハンドルのひらに垂直になるように該ブレード各々が該ハンドルのひらに対して配向している事を特徴とするボールマーク修復ツール。
【請求項２】
平坦ハンドルとそれぞれブレード軸上に該ハンドルの前方に広がる複数のブレードを有し、該ブレードは平坦な表面とブレード・エッジを有し、
該各ブレードのひら表面が該ハンドルのひらに垂直になるようにその対応軸上で配向していることを特徴とするボールマーク修復ツール。
【請求項３】
請求項２に記載されたボールマーク修復ツールにおいて、該ハンドルとの接合部で該ブレード各々がその対応する軸上で該ハンドルのひらに対して９０度回転し、該ブレードの平坦な表面が該ハンドルのひらに垂直になる事を特徴とするボールマーク修復ツール。
【請求項４】
平坦なハンドルとそれぞれブレード軸上に該ハンドルの前方に広がる複数の平行なブレードを有し、
該ブレードはそれぞれ厚さが実質的に該ハンドルと同じで、
該ブレードはそれぞれ該ブレードの幅の少なくとも２倍離れていることを特徴とするボールマーク修復ツール。
【請求項５】
実質的に平坦なハンドルと前方に広がるブレードを有し、該ブレードは各々平坦体と該ブレード体に沿って向かい合うプレードエッジを有し、
該ブレード・エッジが該ハンドルの平面に対して実質的に垂直になるように該ブレードがそれぞれもう一方のブレードの平面に平行な平面内で配向し、該ハンドルの平面に実質的に垂直である事を特徴とするボールマーク修復ツール。
【請求項６】
平坦なかんなハンドルとブレード軸上でハンドルの前方に広がる複数のブレードを有し、該ブレードは各々平坦なブレード体と該ブレード体沿いに薄いブレード・エッジを有し、
該ブレードが互いに平行な平面にありかつ該平坦ハンドルの平面に垂直になるように該ブレードがその対応する軸上で傾いていることを特徴とするボールマーク修復ツール。
【発明の詳細な説明】
【技術分野】
【０００１】  この発明は、グリーン上にゴルフボールが乗ったあとにグリーンのパッティング表面にできたマークあるいは窪みを修復するためにゴルファーが使用する携帯用ツールである。
【背景技術】
【０００２】  グリーン上に急降下で乗るゴルフボールはしばしばグリーン上にボール跡のくぼみあるいは「ボールマーク」を残し真中の土を露出する。（以下の説明のために、ボールマークは平らな芝地表面にできる半球状の窪みとする）。グリーンのパッティング表面を保護するために、ゴルファーは、普通、ボールマークの修復を試みる。従来のプライアップ式のツールを使用し、その後パターの頭で盛り上がった修復跡を抑えて平らにする。【０００３】  従来、これらのマークは次のように修復してきた：（１）ボールマークの中心に「向かうように」平刃のひらを地面に刺す；そして（２）ボールマークの下に刺したブレードの下部端を梃子にして芝地をボールマークの中心に寄せる。（特許文献１）
【特許文献１】  米国特許３，１２０，３８８
【発明の開示】
【発明が解決しようとする課題】
【０００４】  芝地に広い刃を刺し、さらに凹んだり傷ついた芝地（また露出した土）を盛上げるために平刃でプライ（ほじくる）したり回転したりすると芝の根を切り芝地を裂いてしまう。また、ボールマークはグリーン上での茶色のしみになる。この動作はボールマークエリアの芝を直接傷め、また芝地の回復を妨げる。さらに、パットに影響する。
【課題を解決するための手段】
【０００５】  簡単に言えば、この発明は、ハンドルの前方に広がる平らなハンドルおよびブレードを備えたボールマーク修復ツールである。一形態では、各ブレードはハンドルのひらから９０度回配向している、つまりブレードのひらとハンドルのひらは垂直になっている。他の形態では、該ブレードの厚さとハンドルの厚さが同じであり、少なくともブレード幅の２倍の間隔で離れている。
【発明の効果】
【０００６】  この発明のツールを芝地に突き刺し、ツールをボールマークの方向に動かすとその動作は（比較するなら）「櫛なで」動作となり隣接した健康な芝を傷付いたエリアに広げて露出した土を芝で覆うことにより芝土と根をコークスして（すいて）普通の状態に戻す。さらに、この発明の櫛なで動作は健康な芝地で露出した土を覆い芝地と根をすくだけでなく、芝地と根の通気を良くして回復を早める。
【発明を実施するための最良の形態】
【０００７】  図面を説明すると、図１−図３は典型的な先行技術のボールマーク・ツール１０およびその操作形態を示す。ツール１０は平坦ハンドル１２と該ハンドルの前方に広がる平坦ブレード１４から成る。該ブレード１４は、ハンドル１２と同じ平坦片でできているので、ブレードのひらと該ハンドル（図示のごとく、わずかにそれに関係詞を向けた）のひらは同一平面上にある。図３は、先行技術のツール１０の盛り動作を示す。【０００８】  図４および図５は、この発明のボールマーク・ツール２０の一形態を示す。ツール２０は、平坦ハンドル２１と各々ブレード長軸上に該ハンドルの前方に広がるブレード２２を有する。ブレード２２は平坦面２４および肉薄のエッジ２５から成る。またブレード２２は、ハンドル２１のひらの長軸の回りに９０度回転している。図１に示すように、ブレードの長軸はハンドルに対して僅かに傾いている。【０００９】  図６および図７は、この発明のボールマーク・ツール３０の他の形態を示す。ツール３０は平面ハンドル３１、およびハンドルの前方に広がるブレード３２を含む。図７に示すようにブレード３２の断面は実質的に正方形である。図６および図７の３本ブレード構成は単なる例に過ぎない。ブレード３２の数はこの発明の必須要素ではない。再び、図１に示すように、ブレードの長軸はハンドルに対してわずかに傾いている。【００１０】  ツール２０および３０の動作を図８に示す。芝地に突き刺したツールを指示方向に動かすとその動作は（比較するなら）「櫛なで」動作となり隣接した健康な芝を傷付いたエリアに広げて露出した土を芝で覆うことにより芝土と根をコークスして（すいて）普通の状態に戻す。さらに、この発明の櫛なで動作は健康な芝地で露出した土を覆い芝地と根をすくだけでなく、芝地と根の通気を良くして回復を早める。【００１１】  それに比べ、広くて平らな先行技術のツール１０でほじくると芝の圧縮および引き剥がし動作で芝を殺し茶色の土を露出する。根は上部よりは下方へ張るので、横長のブレードを持つ先行技術ツール１０は、そのブレードでこの発明の縦型ブレードより内在的に多くの根を切断する。【００１２】  配向を示す用語は全て図面を参照して使用している。その用語は指定のためではなく説明のために使用している。ここに記述された装置は、図面上の配向にかかわらず記述されたその特徴を保持するものとする。【００１３】  上述の本発明の好ましい実施例を説明して本発明者が熟考した最良の実施方法とする。材料、数量、寸法等の詳細はいずれも説明用である。発明の概念および範囲は、その記述によってではなく次の特許請求項目および均等物によってのみ制限されるものである。
【図面の簡単な説明】
【００１４】  別添図面において：
【図１】典型的な従来のボールマーク・ツールを示す。
【図２】図１を右端から見た端面図である。
【図３】図Ｉのツールの動作を示す。
【図４】この発明のボールマーク・ツールの一形態を示す。
【図５】図４を右端から見た端面図である。
【図６】この発明のボールマーク・ツールの別の形態を示す。
【図７】図６を右端から見た端面図である。
【図８】図４のツールの動作（図６ツールの動作に似ている）を示す。
【符号の説明】
【００１５】２０，３０  ．．．ツール、２１，３１  ．．．平坦ハンドル、２２，３２  ．．．ブレード、２４  ．．．平坦面、２５  ．．．肉薄エッジ
【図１】
2007313261.tif 000003
【図２】
2007313261.tif 000004
【図３】
2007313261.tif 000005
【図４】
2007313261.tif 000006
【図５】
2007313261.tif 000007
【図６】
2007313261.tif 000008
【図７】
2007313261.tif 000009
【図８】
2007313261.tif 000010